(57)【要約】【課題】  記録媒体を気軽に傷付くことなく収容でき、収容された記録媒体が取り出し易く、外径が異なる２種類の記録媒体を収容可能なディスク収容体の提供。【解決手段】  鉢状をなし、内部に収容されるディスク状の記録媒体２の外縁部を周壁４の内面４０で支持するディスク収容体１であって、外縁部に接するように内面４０に凸部５を設けるようにした。また、凸部５は、周方向に間隔を隔てて３箇所以上設けるようにした。また、凸部５は、内面４０より１０ｍｍ以上突出するようにした。また、開口部３側の周壁４の端部から記録媒体２の外縁部を支持する位置を越えるところまで切欠部を設けるようにした。また、切欠部の幅を１０ｍｍ以上にした。さらに、内面４０をテーパ状にした。【選択図】        図１
2005239188.tif 000002
【特許請求の範囲】
【請求項１】
鉢状をなし、内部に収容されるディスク状の記録媒体の外縁部を周壁の内面で支持するディスク収容体であって、
内部に収容される前記記録媒体の外縁部に接するように前記内面に凸部が設けてあることを特徴とするディスク収容体。
【請求項２】
前記凸部は、周方向に間隔を隔てて３箇所以上設けてあることを特徴とする請求項１に記載のディスク収容体。
【請求項３】
前記凸部は、前記内面より１０ｍｍ以上突出してあることを特徴とする請求項１又は２に記載のディスク収容体。
【請求項４】
鉢状をなし、内部に収容されるディスク状の記録媒体の外縁部を周壁の内面で支持するディスク収容体であって、
開口部側の前記周壁の端部から前記記録媒体の外縁部を支持する位置を越えるところまで切欠部が設けてあることを特徴とするディスク収容体。
【請求項５】
前記切欠部の幅を１０ｍｍ以上にしてあることを特徴とする請求項４に記載のディスク収容体。
【請求項６】
前記内面をテーパ状にしてあることを特徴とする請求項１乃至５の何れか１つに記載のディスク収容体。
【発明の詳細な説明】
【技術分野】
【０００１】
本発明は、ディスク状の記録媒体を収容するディスク収容体に関する。
【背景技術】
【０００２】
ディスク状の記録媒体、例えば、ＣＤ(Compact Disc)又はＤＶＤ(Digital Versatile Disk)等を収容するディスク収容体として、矩形をなす基板部の一面の略中央に環状の掛止部が凸設されたトレイと、基板部の一側に枢着され、基板部の一面を覆うことが可能に構成された板状の蓋部とを備えるものがある（例えば、特許文献１参照。）。
【０００３】
このディスク収容体への記録媒体の収容は、蓋部を開けて基板部の一面を露出し、記録媒体の略中央に設けられた孔部を前記掛止部に掛止し、蓋部を閉めて基板部の一面を覆うことによりなされる。
【特許文献１】特開平１０−６４２１７号公報
【発明の開示】
【発明が解決しようとする課題】
【０００４】
しかしながら、特許文献１に開示されたディスク収容体は、記録媒体の孔部と掛止部との掛止を不確実にした場合には、記録媒体の記録面と基板部とが当接し、記録面を傷付ける場合があるから、記録媒体の収容を慎重に行う必要があり、収容時に神経を使うという問題があった。一方、ボウル状のケースにディスク状の記録媒体を収容すれば、記録媒体を気軽に収容してもケースの周壁の内面で記録媒体の外縁部が支持されるため、記録媒体の記録面が傷付かないが、収容した記録媒体の外縁部を把持できず、記録媒体の取り出しが非常に困難になることが想定される。
【０００５】
本発明は斯かる事情に鑑みてなされたものであり、鉢状に形成した周壁の内面に凸部を設けることで、記録面を傷付けることなくディスク状の記録媒体を容易に収容可能にし、しかも記録媒体の取り出しも容易に行えるようにしたディスク収容体を提供することを目的とする。
【０００６】
また、本発明は、凸部を複数設けることで、収容された記録媒体を安定して支持することができるディスク収容体を提供することを目的とする。
【０００７】
また、本発明は、記録媒体の外縁部と周壁の内面との間に指が入る隙間ができるように、又は外部から記録媒体の外縁部に指が掛けられるように構成することにより、収容された記録媒体の取り出しがより容易に行えるディスク収容体を提供することを目的とする。
【０００８】
さらに、本発明は、記録媒体の外縁部を支持する内面を傾斜するように構成することにより、外径が異なる記録媒体を収容することが可能なディスク収容体を提供することを目的とする。
【課題を解決するための手段】
【０００９】
本発明に係るディスク収容体は、鉢状をなし、内部に収容されるディスク状の記録媒体の外縁部を周壁の内面で支持するディスク収容体であって、内部に収容される前記記録媒体の外縁部に接するように前記内面に凸部が設けてあることを特徴とする。
【００１０】
本発明においては、ディスク状の記録媒体を内部に収容した場合、周壁の内面に設けられた凸部が記録媒体の外縁部に接し、記録媒体の一面と周壁の内面との間に隙間ができる。
【００１１】
本発明に係るディスク収容体においては、前記凸部は、周方向に間隔を隔てて３箇所以上設けてあることを特徴とする。
【００１２】
本発明においては、内部にディスク状の記録媒体を収容した場合、周壁の内面に設けられた３箇所以上の凸部が記録媒体の外縁部に接し、記録媒体の支持が安定する。
【００１３】
本発明に係るディスク収容体においては、前記凸部は、前記内面より１０ｍｍ以上突出してあることを特徴とする。
【００１４】
本発明においては、ディスク状の記録媒体を内部に収容した場合、周壁の内面に設けられた凸部が記録媒体の外縁部に接し、記録媒体の外縁部と周壁の内面との間に１０ｍｍ以上の隙間ができる。この隙間に指を入れて記録媒体の外縁部に指を掛けることで、記録媒体を取り出すことができる。
【００１５】
本発明に係るディスク収容体は、鉢状をなし、内部に収容されるディスク状の記録媒体の外縁部を周壁の内面で支持するディスク収容体であって、開口部側の前記周壁の端部から前記記録媒体の外縁部を支持する位置を越えるところまで切欠部が設けてあることを特徴とする。
【００１６】
本発明においては、ディスク状の記録媒体を内部に収容した場合、周壁の内面が記録媒体の外縁部に接し、記録媒体の一面と周壁の内面との間に隙間ができる。また、収容された記録媒体の外縁部が切欠部により露出される。
【００１７】
本発明に係るディスク収容体においては、前記切欠部の幅を１０ｍｍ以上にしてあることを特徴とする。
【００１８】
本発明においては、ディスク状の記録媒体を内部に収容した場合、切欠部により記録媒体の外縁部の一部が１０ｍｍ以上にわたって露出される。この露出部分に指を掛けて記録媒体を取り出すことができる。
【００１９】
本発明に係るディスク収容体においては、前記内面をテーパ状にしてあることを特徴とする。
【００２０】
本発明においては、略１２ｃｍの直径を有する記録媒体及び略８ｃｍの直径を有する記録媒体に対応するように内面の大きさ、角度を設定することにより、直径が異なる２種類の規格の記録媒体を収容した場合にも、記録媒体の一面と周壁の内面との間に隙間ができる。
【発明の効果】
【００２１】
本発明に係るディスク収容体においては、内部にディスク状の記録媒体を収容した場合には、周壁の内面又は凸部が記録媒体の外縁部に接し、記録媒体の一面と周壁の内面との間に隙間ができるから、記録媒体の記録面を傷付けることなく気軽に収容することができる。
【００２２】
また、本発明に係るディスク収容体においては、凸部を、周方向に間隔を隔てて３箇所以上設けてあるから、収容されたディスク状の記録媒体が安定して支持される。
【００２３】
また、本発明に係るディスク収容体においては、凸部の内面からの突出高さを１０ｍｍ以上にしたから、ディスク状の記録媒体の外縁部と周壁の内面との間に１０ｍｍ以上の隙間ができる。この隙間を利用して記録媒体の外縁部に指を掛けることで、記録媒体を容易に取り出すことができる。
【００２４】
また、本発明に係るディスク収容体においては、切欠部の幅を１０ｍｍ以上にしてあるから、ディスク状の記録媒体の外縁部の一部が１０ｍｍ以上にわたって露出する。切欠部により露出された外縁部に指を掛けることで、記録媒体を容易に取り出すことができる。
【００２５】
さらに、本発明に係るディスク収容体においては、内面をテーパ状にしてあるから、略１２ｃｍの直径を有する記録媒体及び略８ｃｍの直径を有する記録媒体に対応するように内面の大きさ、角度を設定した場合には、直径が異なる２種類の規格の記録媒体を、記録面を傷付けることなく気軽に収容することができる。
【発明を実施するための最良の形態】
【００２６】
以下、本発明をその実施の形態を示す図面に基づいて詳述する。
【００２７】
実施の形態１
図１は実施の形態１のディスク収容体の斜視図であり、図２は実施の形態１のディスク収容体の平面図であり、図３は図２の III−III 線による断面図である。
【００２８】
図において１は、鉢状をなすディスク収容体であり、ディスク収容体１は、略１２ｃｍの直径を有するディスク状の記録媒体２及び略８ｃｍの直径を有するディスク状の記録媒体２ａ、例えば、ＣＤ(Compact Disc)又はＤＶＤ(Digital Versatile Disk)等を内部に収容することが可能に形成されている。ディスク収容体１の開口部３の直径は、記録媒体２の収容が容易に行えるように、記録媒体２の直径よりも大きい所定の寸法とされ、周壁４の内面４０はテーパ状に形成されている。
【００２９】
周壁４の内面４０には、ディスク収容体１の内部に収容された記録媒体２，２ａの外縁部２０，２０ａに接する４つの凸部５，５，…が設けられ、凸部５，５，…は、ディスク収容体１の周方向に等配されると共に、深さ方向へ延設されている。凸部５，５，…は、内面４０の一部を構成するものであり、記録媒体２を所定の位置５０で支持するように、しかも記録媒体２ａを所定の位置５０より深い所定の位置５１で支持するように、深さ方向に延びる直線に対して傾斜させてある。
【００３０】
凸部５，５，…の内面４０からの突出高さＹは、１０ｍｍ以上（好ましくは１５ｍｍ以上）に設定され、ディスク収容体１の内部に収容された記録媒体２，２ａの外縁部２０，２０ａと内面４０との間に指を入れることが可能な隙間ができる。ディスク収容体１は、外縁部２０，２０ａと内面４０との隙間を利用することで、外縁部２０，２０ａを把持して記録媒体２，２ａを取り出すことができるように構成されている。
【００３１】
また、ディスク収容体１には、内部に収容された記録媒体２，２ａの外縁部２０，２０ａをディスク収容体１の外部に露出させる４つの切欠部６，６，…が凸部５，５，…の間に位置するように設けられている。
【００３２】
以上の構成により、ディスク収容体１は、内部に記録媒体２，２ａを収容することができる。記録媒体２，２ａを内部に収容した場合には、凸部５，５，…が記録媒体２，２ａの外縁部２０，２０ａに接し、記録媒体２，２ａの記録面２１，２１ａと内面４０との間に隙間ができる。また、凸部５，５，…により、内部に収容された記録媒体２，２ａの外縁部２０，２０ａと内面４０との間に指を入れることが可能な隙間ができる。
【００３３】
前述したディスク収容体１は、内部に収容された記録媒体２，２ａの外縁部２０，２０ａに接する凸部５，５，…を周壁４の内面４０に設けてあるから、内部に収容された記録媒体２，２ａの記録面２１，２１ａが内面４０に当接しない。従って、記録媒体２，２ａの収容時に、記録媒体２，２ａの記録面２１，２１ａを内面４０に当接させて傷付けるということがなくなり、記録媒体２，２ａの収容が気軽に行える。
【００３４】
また、ディスク収容体１は、凸部５，５，…を、周方向に間隔を隔てて４箇所設けたから、内部に収容した記録媒体２，２ａを安定して支持することができる。
【００３５】
また、ディスク収容体１は、凸部５，５，…の内面４０からの突出高さＹを１０ｍｍ以上にしてあるから、記録媒体２，２ａの外縁部２０，２０ａと内面４０との間に指が入り、内部に収容された記録媒体２，２ａの外縁部２０，２０ａを把持して取り出すことができる。また、切欠部６，６，…を凸部５，５，…の間に配したから、切欠部６，６，…を利用することで、記録媒体２，２ａの外縁部２０，２０ａを把持し易い。
【００３６】
さらに、ディスク収容体１は、所定の位置５０で記録媒体２を支持すると共に、所定の位置５０より深い所定の位置５１で記録媒体２ａを支持するように凸部５，５，…を傾斜させ、内面４０をテーパ状に形成してあるから、直径が異なる２種類の記録媒体２，２ａも、外縁部２０，２０ａに凸部５，５，…が接して記録媒体２，２ａの記録面２１，２１ａを傷付けることなく収容することができる。
【００３７】
なお、前述した実施の形態１では、周壁４の内面４０に凸部５，５，…を設けたが、ディスク収容体１は、凸部５，５，…を有しない構成としてもよい。図４は凸部５，５，…を有しない構成とした他の実施の形態１のディスク収容体の平面図であり、図５は図４のＶ−Ｖ線による断面図である。
【００３８】
図において１Ａはディスク収容体であり、ディスク収容体１Ａは、深さ方向に略直交する断面形状が略正方形をなすように構成されている。ディスク収容体１Ａの周壁４の内面４０ａ，４０ａ，…は、テーパ状に形成され、内部に収容された記録媒体２，２ａの外縁部２０，２０ａに接するように構成されている。
【００３９】
このような構成により、記録媒体２，２ａを内部に収容した場合には、内面４０ａ，４０ａ，…が記録媒体２，２ａの外縁部２０，２０ａに接し、記録媒体２，２ａの記録面２１，２１ａと内面４０ａ，４０ａ，…との間に隙間ができる。また、内面４０ａ，４０ａ，…の角部と記録媒体２，２ａの外縁部２０，２０ａとの間に隙間ができ、この隙間を利用して外縁部２０，２０ａを把持し、記録媒体２，２ａをディスク収容体１Ａから取り出すことができる。
【００４０】
その他の構成及び作用は、実施の形態１と同様のため、対応する構成部材に同一の参照符号を付し、その構成及び作用の説明を省略する。
【００４１】
また、前述した実施の形態１では、所定の位置５０で記録媒体２を支持すると共に、所定の位置５０より深い所定の位置５１で記録媒体２ａを支持するように、内面４０の一部である凸部５，５，…を傾斜させたが、凸部５，５，…（内面４０）を傾斜させる必要はない。つまり、本発明に係るディスク収容体は、例えば、凸部５，５，…を内面４０に設けた半球状の突起とし、記録媒体２又は記録媒体２ａの何れか１種類を収容するように構成してもよい。
【００４２】
さらに、本発明に係るディスク収容体は、凸部５，５，…の突出高さＹを１０ｍｍ以上に設定する必要はなく、凸部５，５，…の突出高さＹを１０ｍｍ未満に設定してもよい。
【００４３】
さらにまた、前述した実施の形態１では、凸部５，５，…を４つ設けたが、凸部５，５，…の数は、４つに限らず、少なくとも１つ以上あればよい。少なくとも１つの凸部５があれば、凸部５の突出高さＹを１０ｍｍ以上に設定することで、記録媒体２，２ａの外縁部２０，２０ａと内面４０との間に指を入れることが可能な隙間ができ、外縁部２０，２０ａに指を掛けて記録媒体２，２ａを取り出すことができる。凸部５，５，…を３箇所以上設けた場合には、内部に収容された記録媒体２，２ａを安定して支持することができる。
【００４４】
また、前述した実施の形態１では、略１２ｃｍの直径を有する記録媒体２を所定の位置５０で支持すると共に、略８ｃｍの直径を有する記録媒体２ａを所定の位置５０より深い所定の位置５１で支持するように、内面４０の一部である凸部５，５，…を傾斜させたが、内部に収容する記録媒体の直径は、略８ｃｍ又は略１２ｃｍに限らない。本発明に係るディスク収容体は、ディスク状をなす記録媒体の直径に合わせて形成することができる。
【００４５】
さらに、開口部３を閉鎖する蓋体（図示せず）を備え、ゴミ、埃等の異物が開口部３からディスク収容体の内部に入るのを防止するようにしてもよい。
【００４６】
実施の形態２
図６は実施の形態２のディスク収容体の斜視図であり、図７は実施の形態２のディスク収容体の平面図であり、図８は図７のVIII−VIII線による断面図である。
【００４７】
図において１Ｂは、鉢状をなすディスク収容体であり、ディスク収容体１Ｂは、記録媒体２，２ａを収容することが可能に構成されている。周壁４の内面４０は、記録媒体２を所定の位置４１で支持するように、しかも記録媒体２ａを所定の位置４１より深い所定の位置４２で支持するようにテーパ状に形成されている。
【００４８】
ディスク収容体１Ｂには、開口部３側の周壁４の端部３０から所定の位置４２を越えるところまで延びる４つの切欠部６ａ，６ａ，…が設けられている。切欠部６ａ，６ａ，…は、ディスク収容体１Ｂの周方向に等配され、切欠部６ａ，６ａ，…の幅Ｚは、１０ｍｍ以上（好ましくは２０ｍｍ以上）に設定されている。
【００４９】
以上の構成により、ディスク収容体１Ｂは、内部に記録媒体２，２ａを収容することができる。記録媒体２，２ａを収容した場合には、切欠部６ａ，６ａ，…により記録媒体２，２ａの外縁部２０，２０ａの一部が外部に露出される。
【００５０】
このようなディスク収容体１Ｂは、切欠部６ａ，６ａ，…の幅Ｚを１０ｍｍ以上にしてあるから、切欠部６ａ，６ａ，…により外部に露出された記録媒体２，２ａの外縁部２０，２０ａの一部を把持して記録媒体２，２ａを取り出すことができる。
【００５１】
その他の構成及び作用は、実施の形態１と同様のため、対応する構成部材に同一の参照符号を付し、その構成及び作用の説明を省略する。
【００５２】
なお、前述した実施の形態２では、実施の形態１のディスク収容体１と同様に、所定の位置４１で記録媒体２を支持すると共に、所定の位置４１より深い所定の位置４２で記録媒体２ａを支持するように内面４０をテーパ状に形成したが、内面４０をテーパ状に形成する必要はない。つまり、本発明に係るディスク収容体は、例えば、深さ方向に延びる直線と略平行になるように内面４０を形成し、該内面４０及び底面が、記録媒体２の外縁部２０又は記録媒体２ａの外縁部２０ａに接するように構成し、記録媒体２又は記録媒体２ａの１種類を収容するようにしてもよい。
【００５３】
また、本発明に係るディスク収容体は、切欠部６ａ，６ａ，…の幅Ｚを１０ｍｍ以上にする必要はなく、切欠部６ａ，６ａ，…の幅Ｚを１０ｍｍ未満にしてもよい。
【００５４】
さらに、前述した実施の形態２では、切欠部６ａ，６ａ，…の数を４つとしたが、切欠部６ａ，６ａ，…の数は、４つに限らず、少なくとも１つ以上あればよい。少なくとも１つの切欠部６ａがあれば、切欠部６ａの幅Ｚを１０ｍｍ以上に設定することで、内部に収容された記録媒体２，２ａの外縁部２０，２０ａに指を掛けて記録媒体２，２ａを取り出すことができる。また、切欠部６ａ，６ａ，…を多く設けた場合には、外部に露出する外縁部２０，２０ａの部分が多くなり、記録媒体２，２ａの取り出しがより行い易くなる。
【００５５】
さらにまた、実施の形態２のディスク収容体１Ｂは、実施の形態１のディスク収容体１と同様に、内部に収容するディスク状の記録媒体の直径は限定されず、また、開口部３を閉鎖する蓋体（図示せず）を備えるようにしてもよい。
【図面の簡単な説明】
【００５６】
【図１】図１は実施の形態１のディスク収容体の斜視図である。
【図２】実施の形態１のディスク収容体の平面図である。
【図３】図２の III−III 線による断面図である。
【図４】他の実施の形態１のディスク収容体の平面図である。
【図５】図４のＶ−Ｖ線による断面図である。
【図６】実施の形態２のディスク収容体の斜視図である。
【図７】実施の形態２のディスク収容体の平面図である。
【図８】図７のVIII−VIII線による断面図である。
【符号の説明】
【００５７】
１，１Ａ，１Ｂ  ディスク収容体
２，２ａ  記録媒体
３  開口部
４  周壁
５  凸部
６，６ａ  切欠部
２０，２０ａ  外縁部
３０  端部
４０，４０ａ  内面
４１，４２，５０，５１  所定の位置
【図１】
2005239188.tif 000003
【図２】
2005239188.tif 000004
【図３】
2005239188.tif 000005
【図４】
2005239188.tif 000006
【図５】
2005239188.tif 000007
【図６】
2005239188.tif 000008
【図７】
2005239188.tif 000009
【図８】
2005239188.tif 000010